(57)【要約】  【課題】  経木から構成される遮蔽材を巻取パイプに簡単に取り付けることができると共に、遮蔽材が完全に巻取パイプから巻き解かれた後、さらに同じ巻解方向に巻取パイプが回転した場合であっても、遮蔽材の巻取パイプへの取付位置は不変とすることができる巻取パイプへの遮蔽材取付装置を提供する。  【解決手段】  遮蔽材１４は、複数のヒゴ１５を織糸１６によって上下方向に連結した経木から構成され、その一端が、取付片２４によって両端が回転自在に支持された巻取パイプ１２に巻取り及び巻解き可能に取り付けられる。取付片２４は、巻取パイプ１２に装着される装着部２４ａと、該装着部２４ａの一端部から折曲されて、遮蔽材１４の一端部にある経木のヒゴ１５、１５間を挿通すると共に巻取パイプ１２に形成される溝１２ａ内に係止される折曲部２４ｂと、装着部２４ａから折曲部２４ｂの折曲部位よりもさらに延設されて折曲部２４ｂの挿通位置よりも他端側にある遮蔽材１４の一部分の外径側に配置される突片部２４ｃと、を備える。【選択図】  図２
2006077507.tif 000002
【特許請求の範囲】
【請求項１】
複数のヒゴ（１５）を織糸（１６）によって上下方向に連結した経木から構成される遮蔽材（１４）の一端を、両端が回転自在に支持された巻取パイプ（１２）に巻取り及び巻解き可能に取り付ける、巻取パイプへの遮蔽材取付装置であって、
巻取パイプ（１２）に装着される装着部（２４ａ）と、該装着部（２４ａ）の一端部から折曲されて、遮蔽材（１４）の一端部にある経木のヒゴ（１５、１５）間を挿通すると共に巻取パイプ（１２）に形成される溝（１２ａ）内に係止される折曲部（２４ｂ）と、装着部（２４ａ）から折曲部（２４ｂ）の折曲部位よりもさらに延設されて、前記折曲部（２４ｂ）の挿通位置よりも他端側にある遮蔽材（１４）の一部分の外径側に配置される突片部（２４ｃ）と、を備えることを特徴とする巻取パイプへの遮蔽材取付装置。
【請求項２】
前記装着部（２４ａ）は、前記折曲部（２４ｂ）の挿通位置よりも一端側にある遮蔽材（１４）の一部分を、巻取パイプ（１２）との間で挟持するように、巻取パイプ（１２）の外周部に装着される、ことを特徴とする請求項１記載の巻取パイプへの遮蔽材取付装置。
【発明の詳細な説明】
【技術分野】
【０００１】
本発明は、複数のヒゴを織糸によって上下方向に連結した経木から構成される遮蔽材に対して、その一端を両端が回転自在に支持された巻取パイプに取り付ける、巻取パイプへの遮蔽材取付装置に関する。
【背景技術】
【０００２】
従来、この種の巻取パイプへの遮蔽材取付装置としては、特許文献１（実開平３−２５７９４号公報）に記載されたものが知られている。これによれば、巻取パイプの外周面に設けられた係止溝に係合する支持部材によって、遮蔽材であるスクリーンの上端を巻取パイプに取り付けており、支持部材の一端には、スクリーンのヒゴ間を貫通して、巻取パイプの係止溝の一端側に設けられた係止片に係合する折曲片が形成され、支持部材の他端には、巻取パイプの係止溝の他端側に設けられた係止片に係合する係合凹部が形成されている。
【０００３】
【特許文献１】実開平３−２５７９４号公報
【発明の開示】
【発明が解決しようとする課題】
【０００４】
上記のような巻取パイプへの遮蔽材取付装置では、スクリーンを最下位置まで巻き解いた後にさらにスクリーンの下降操作を続けていくと、スクリーンが巻取パイプに対して逆方向に巻き取られていくが、このときに、スクリーンのヒゴ間を支持部材が貫通しているだけであるため、スクリーンは、その貫通された状態を維持しつつ貫通する支持部材の位置を変えながら、支持部材に沿って移動することが可能になる。
【０００５】
つまり支持部材とスクリーンの相対的位置が変化してしまうため、結果として、スクリーンの巻取パイプへの取付位置がずれてしまうという問題がある。
【０００６】
この状態からスクリーンの上昇操作を行なうと、逆方向に巻き取られたスクリーンは一旦、巻取パイプから巻き解かれた後、正規の方向で巻取パイプに巻き取られていく。しかしながら、巻取を開始した時点で、取付位置が変化してずれたままであるため、ずれた状態のままスクリーンが巻き取られてしまうという問題がある。
【０００７】
本発明はかかる課題に鑑みなされたもので、経木から構成される遮蔽材を巻取パイプに簡単に取り付けることができると共に、遮蔽材が完全に巻取パイプから巻き解かれた後、さらに同じ巻解方向に巻取パイプが回転した場合であっても、遮蔽材の巻取パイプへの取付位置は不変とすることができる巻取パイプへの遮蔽材取付装置を提供することをその目的とする。
【課題を解決するための手段】
【０００８】
前述した目的を達成するために、請求項１記載の発明は、複数のヒゴを織糸によって上下方向に連結した経木から構成される遮蔽材の一端を、両端が回転自在に支持された巻取パイプに巻取り及び巻解き可能に取り付ける、巻取パイプへの遮蔽材取付装置であって、
巻取パイプに装着される装着部と、該装着部の一端部から折曲されて、遮蔽材の一端部にある経木のヒゴ間を挿通すると共に巻取パイプに形成される溝内に係止される折曲部と、装着部から折曲部の折曲部位よりもさらに延設されて、前記折曲部の挿通位置よりも他端側にある遮蔽材の一部分の外径側に配置される突片部と、を備えることを特徴とする。
【０００９】
前記装着部は、引用文献１で示されたように巻取パイプの溝内に装着されるものであってもよいが、請求項２記載の発明は、請求項１記載の前記装着部が、前記折曲部の挿通位置よりも一端側にある遮蔽材の一部分を、巻取パイプとの間で挟持するように、巻取パイプの外周部に装着される、ことを特徴とする。
【発明の効果】
【００１０】
請求項１記載の発明によれば、折曲部が経木のヒゴ間を挿通して巻取パイプに形成される溝内に係止されることにより、遮蔽材を巻取パイプに簡単に取り付けることができる。さらには、遮蔽材が完全に巻取パイプから巻き解かれた状態で、巻取パイプを同じ巻解方向に回転させると、突片部があるために、その挿通位置を装着部の方へと変化させるように移動することはできず、従って、遮蔽材と巻取パイプとの取付位置は不変となりずれが発生することを防ぐことができる。
【００１１】
請求項２記載の発明によれば、装着部が巻取パイプと共に、折曲部の挿通位置よりも一端側にある遮蔽材の一部分を挟持するので、遮蔽材の該一端側の部分を確実に拘束保持することができる。
【発明を実施するための最良の形態】
【００１２】
以下、図面を用いて本発明の実施の形態を説明する。
【００１３】
図１は、本発明による巻取パイプへの遮蔽材取付装置により、巻取パイプに遮蔽材が取り付けられたロールスクリーン１０の全体図である。
【００１４】
図において、ロールスクリーン１０は、巻取パイプ１２と、遮蔽材１４とを有しており、遮蔽材１４は、複数のヒゴ１５を織糸１６によって上下方向に連結した経木から構成される。
【００１５】
巻取パイプ１２は、サイドプレート１８，１８によって回転可能に支持されている。また、巻取パイプ１２の一端部には、巻取パイプ１２を回転操作する操作部２０が設けられており、操作部２０を操作することにより、巻取パイプ１２を任意の方向に回転させることが可能となっている。但し、操作部２０の形態は任意のものとすることができる。
【００１６】
巻取パイプ１２には、その長手方向に沿って係止溝１２ａ（図２参照）が形成されている。係止溝１２ａには、その両側からそれぞれ溝中央側へと伸びる係止部１２ｂ、１２ｂが設けられている。
【００１７】
上記遮蔽材１４を巻取パイプ１２に取り付けるための遮蔽材取付装置は、図２に示すように、取付片２４から構成される。取付片２４は、巻取パイプ１２の長手方向に沿って適宜離間されて複数個使用されるとよい。
【００１８】
取付片２４は、金属製またはプラスチック製の任意の素材、好ましくは金属製の弾性材から構成され、概略、装着部２４ａと、装着部２４ａの一端部から折曲されて前記巻取パイプ１２の係止溝１２ａ内に挿入され係止される折曲部２４ｂと、装着部２４ａから折曲部２４ｂの折曲部位よりもさらに延設される突片部２４ｃと、を備えている。
【００１９】
装着部２４ａは、巻取パイプ１２の外周部に装着されるように、巻取パイプ１２の外形の一部と同様の円弧状の断面輪郭形状をなしている。また、折曲部２４ｂは、装着部２４ａから２段階に折曲されており、装着部２４ａから略９０度で内径方向に折曲された第１折曲部２４ｂ１と、第１折曲部２４ｂ１から略９０度で再び折り戻された第２折曲部２４ｂ２とを有する。折曲部２４ｂは、装着部２４ａの幅方向に対してその両側部分に一対で設けられている。そして、突片部２４ｃは、一対の折曲部２４ｂの間から装着部２４ａの延長として伸びるように形成されている。
【００２０】
以上の取付片２４は、金属製で構成する場合には、１枚の金属板を曲げ加工することにより簡単に製造することができる。
【００２１】
以上の取付片２４を用いて、遮蔽材１４を巻取パイプ１２に取り付けるには、遮蔽材１４の上端から若干下がった位置にある任意の隣接するヒゴ１５，１５間に折曲部２４ｂを先端から挿通させる。そして、折曲部２４ｂを巻取パイプ１２の係止溝１２ａ内に挿入して、その先端を係止溝１２ａの係止部１２ｂに係止させる。同時に、装着部２４ａを巻取パイプ１２の外周部に装着して、装着部２４ａの弾性により取付片２４を巻取パイプ１２の外周部に嵌合させる。こうして、取付片２４が巻取パイプ１２に固定され、且つ遮蔽材１４が取付片２４の折曲部２４ｂに挿通されており、折曲部２４ｂの先端は係止溝１２ａ内にあって自由端ではなくなっていることにより、遮蔽材１４は取付片２４を介して巻取パイプ１２に取り付けられる（図３（ａ）参照）。装着部２４ａは、遮蔽材１４の折曲部２４ｂの挿通位置よりも上端側の部分の外径側に配置され、巻取パイプ１２と共に該上端側の部分を挟持する。また、突片部２４ｃは、遮蔽材１４の折曲部２４ｂの挿通位置よりも下端側の部分の外径側に配置されることになる。
【００２２】
以上のようにして取り付けられた遮蔽材１４は、巻取パイプ１２を回転させると、その回転方向に応じて巻取パイプ１２に巻き取り、または巻取パイプ１２から巻き解かれるために、昇降を行うことができる。このとき、装着部２４ａは、巻取パイプ１２の外周部に嵌合しており、その外形が巻取パイプ１２の外形の一部とほぼ同様であるために、取付片２４が邪魔になることなく、遮蔽材１４は取付片２４の上に重なって巻き取られることになる（図３（ｂ）参照）。尚、正規の巻取パイプ１２の巻取方向は、遮蔽材１４が巻取パイプ１２に取り付けられた状態から取付片２４の装着部２４ａ側を先頭、突片部２４ｃ側を後尾として巻取パイプ１２が回る、図３における左回り方向となり、正規の巻取パイプ１２の巻解方向は、その反対の装着部２４ａ側を後尾、突片部２４ｃ側を先頭として巻取パイプ１２が回る、図３における右回り方向となる。
【００２３】
遮蔽材１４が巻取パイプ１２から完全に巻き解かれた状態で、さらに巻取パイプ１２を同じ巻解方向に回転させると、遮蔽材１４は巻取パイプ１２に対して逆方向に巻き取られていくことになるが、突片部２４ｃ側を先頭として巻取パイプ１２が回転するために、遮蔽材１４は突片部２４ｃの先端で折り返されて巻き取られていく（図３（ｃ）参照）。このため、遮蔽材１４は突片部２４ｃの存在によって、取付片２４に対する相対移動は禁止され挿通位置が動かない。従って、遮蔽材１４の巻取パイプ１２との取付位置のずれは発生しない。
【００２４】
これに対して、仮に突片部２４ｃがないとした場合、図４に示すように、遮蔽材１４が巻取パイプ１２に対して逆方向に巻き取られていくと、取付片２４が遮蔽材１４を挿通する挿通位置が折曲部２４ｂから装着部２４ａの方へと移動しながら遮蔽材１４が取付片２４に対して相対移動することが発生し（図４（ｂ））、従って遮蔽材１４と巻取パイプ１２の取付位置のずれが発生し、さらに操作を続けていると遮蔽材１４が巻取パイプ１２から落下してしまう。例えば、図４（ｂ）のような状態から、巻取パイプ１２を正規の巻取方向に回転すると、取付位置がずれたまま巻き取られてしまい、その後の動作が行われるために、遮蔽材１４の高さ寸法も狂ってしまう。
【００２５】
本実施形態では、突片部２４ｃがあるために、このような取付位置のずれの発生はなく、常に、正しい遮蔽材１４の取付位置を維持することができる。
【００２６】
また、この実施形態では、装着部２４ａが巻取パイプ１２と共に遮蔽材１４の折曲部２４ｂの挿通位置より上端側の部分を挟持しており、遮蔽材１４の上端側の部分を確実に拘束保持することができる。
【図面の簡単な説明】
【００２７】
【図１】本発明による巻取パイプへの遮蔽材取付装置が適用されるロールスクリーンの全体斜視図である。
【図２】遮蔽材の巻取パイプへの取付部分の分解斜視図である。
【図３】遮蔽材の巻取パイプへの取付部分を表す断面図であり、（ａ）は遮蔽材が巻取パイプから完全に巻き解かれた状態、（ｂ）は遮蔽材の一部が巻取パイプに巻き取られた状態、（ｃ）は（ａ）の状態からさらに巻取パイプが巻解方向（逆方向）に回転した状態を表す。
【図４】取付片の突片部がないものと仮定した場合の図３相当の比較図であり、（ａ）は遮蔽材が巻取パイプから完全に巻き解かれた状態、（ｂ）は（ａ）の状態からさらに巻取パイプが巻解方向（逆方向）に回転した状態を表す。
【符号の説明】
【００２８】
１２  巻取パイプ
１４  遮蔽材
１５  ヒゴ
１６  織糸
２４  取付片（遮蔽材取付装置）
２４ａ  装着部
２４ｂ  折曲部
２４ｃ  突片部
【図１】
2006077507.tif 000003
【図２】
2006077507.tif 000004
【図３】
2006077507.tif 000005
【図４】
2006077507.tif 000006